(57)【特許請求の範囲】
【請求項１】
所定の２ケ所にスリット（ＳＬ，ＳＲ）が形成された板状部材（３１）を上面に有する輸送箱（３０）に対して、両端を前記スリット（ＳＬ，ＳＲ）に挿通させて固定することにより取り付けることが可能であり、前記輸送箱（３０）の上面に取り付けた状態で把持することにより、前記輸送箱（３０）全体を持ち上げて輸送の用に供することができる着脱自在な輸送用グリップであって、
前記スリット（ＳＬ，ＳＲ）に挿通させることが可能なサイズを有し、前記板状部材（３１）の下面の前記スリット（ＳＬ，ＳＲ）の周囲部分を支持するのに十分な剛性を有するボール紙からなる左補強板（１０Ｌ）および右補強板（１０Ｒ）と、
平面上に展開した場合に左端から右端に向って、左本体下層部（２５Ｌ）、左内側上面包装部（２４Ｌ）、左下面包装部（２３Ｌ）、左外側上面包装部（２２Ｌ）、本体上層部（２１）、右外側上面包装部（２２Ｒ）、右下面包装部（２３Ｒ）、右内側上面包装部（２４Ｒ）、右本体下層部（２５Ｒ）の順に配置された各部分から構成されており、前記スリット（ＳＬ，ＳＲ）に挿通させることが可能な幅を有する紙製の細長い帯状部材（２０）と、
を備え、
前記本体上層部（２１）は把持に適した長さを有しており、
前記左内側上面包装部（２４Ｌ）、前記左下面包装部（２３Ｌ）、前記左外側上面包装部（２２Ｌ）によって、前記左補強板（１０Ｌ）の上下両面が包み込まれた状態となっており、
前記右内側上面包装部（２４Ｒ）、前記右下面包装部（２３Ｒ）、前記右外側上面包装部（２２Ｒ）によって、前記右補強板（１０Ｒ）の上下両面が包み込まれた状態となっており、
前記左補強板（１０Ｌ）および前記右補強板（１０Ｒ）は、前記帯状部材（２０）の一部分によって包み込まれた状態のまま前記スリットに挿通させることができるように構成されており、
前記左本体下層部（２５Ｌ）の少なくとも一部分および前記右本体下層部（２５Ｒ）の少なくとも一部分は、それぞれ前記本体上層部（２１）の下面に接着されており、前記左補強板（１０Ｌ）の少なくとも一部分および前記右補強板（１０Ｒ）の少なくとも一部分は、それぞれ前記帯状部材（２０）の包み込み部分に接着されていることを特徴とする着脱自在な輸送用グリップ。
【請求項２】
請求項１に記載の輸送用グリップにおいて、
左本体下層部（２５Ｌ）の上面全体および右本体下層部（２５Ｒ）の上面全体が、それぞれ本体上層部（２１）の下面に接着されており、左補強板（１０Ｌ）の上下両面および右補強板（１０Ｒ）の上下両面が、それぞれ帯状部材（２０）の包み込み部分に接着されていることを特徴とする着脱自在な輸送用グリップ。
【請求項３】
所定の２ケ所にスリット（ＳＬ，ＳＲ）が形成された板状部材（３１）を上面に有する輸送箱（３０）に対して、両端を前記スリット（ＳＬ，ＳＲ）に挿通させて固定することにより取り付けることが可能であり、前記輸送箱（３０）の上面に取り付けた状態で把持することにより、前記輸送箱（３０）全体を持ち上げて輸送の用に供することができる着脱自在な輸送用グリップであって、
前記スリット（ＳＬ，ＳＲ）に挿通させることが可能なサイズを有し、前記板状部材（３１）の下面の前記スリット（ＳＬ，ＳＲ）の周囲部分を支持するのに十分な剛性を有するボール紙からなる左補強板（１０Ｌ）および右補強板（１０Ｒ）と、
平面上に展開した場合に左端から右端に向って、左本体上層部（４５Ｌ）、左外側上面包装部（４４Ｌ）、左下面包装部（４３Ｌ）、左内側上面包装部（４２Ｌ）、本体下層部（４１）、右内側上面包装部（４２Ｒ）、右下面包装部（４３Ｒ）、右外側上面包装部（４４Ｒ）、右本体上層部（４５Ｒ）の順に配置された各部分から構成されており、前記スリット（ＳＬ，ＳＲ）に挿通させることが可能な幅を有する紙製の細長い帯状部材（４０）と、
を備え、
前記本体下層部（４１）は把持に適した長さを有しており、
前記左外側上面包装部（４４Ｌ）、前記左下面包装部（４３Ｌ）、前記左内側上面包装部（４２Ｌ）によって、前記左補強板（１０Ｌ）の上下両面が包み込まれた状態となっており、
前記右外側上面包装部（４４Ｒ）、前記右下面包装部（４３Ｒ）、前記右内側上面包装部（４２Ｒ）によって、前記右補強板（１０Ｒ）の上下両面が包み込まれた状態となっており、
前記左補強板（１０Ｌ）および前記右補強板（１０Ｒ）は、前記帯状部材（４０）の一部分によって包み込まれた状態のまま前記スリットに挿通させることができるように構成されており、
前記左本体上層部（４５Ｌ）の少なくとも一部分および前記右本体上層部（４５Ｒ）の少なくとも一部分は、それぞれ前記本体下層部（４１）の上面に接着されており、前記左補強板（１０Ｌ）の少なくとも一部分および前記右補強板（１０Ｒ）の少なくとも一部分は、それぞれ前記帯状部材（４０）の包み込み部分に接着されていることを特徴とする着脱自在な輸送用グリップ。
【請求項４】
請求項３に記載の輸送用グリップにおいて、
左本体上層部（４５Ｌ）の下面全体および右本体上層部（４５Ｒ）の下面全体が、それぞれ本体下層部（４１）の上面に接着されており、左補強板（１０Ｌ）の上下両面および右補強板（１０Ｒ）の上下両面が、それぞれ帯状部材（４０）の包み込み部分に接着されていることを特徴とする着脱自在な輸送用グリップ。
【請求項５】
請求項１〜４のいずれかに記載の輸送用グリップにおいて、
帯状部材（２０，４０）を構成する各部が、その長手方向の中心位置に関して対称となるように配置されていることを特徴とする着脱自在な輸送用グリップ。
【請求項６】
請求項１〜５のいずれかに記載の輸送用グリップにおいて、
帯状部材（２０，４０）が、複数の紙製の紐（２０１〜２１０）を平面的に並べて接着したリボン状部材によって構成されていることを特徴とする着脱自在な輸送用グリップ。
【発明の詳細な説明】
【０００１】
【発明の属する技術分野】
本発明は、着脱自在な輸送用グリップに関し、特に、輸送箱の上面２ケ所に形成されたスリットに両端を挿通させて取り付け、ハンドルとして利用することにより、輸送箱を持ち上げて輸送の用に供することができるグリップに関する。
【０００２】
【従来の技術】
段ボール箱などを持ち運ぶ際に、片手で持ち上げることができるように、着脱自在な輸送用グリップが広く利用されている。一般的には、段ボール箱の上面部分の２ケ所にスリットを開口し、このスリットに両端を挿通させて固定するタイプのグリップが普及している。このグリップの両端部分には、段ボール箱の運搬時に両端部分をスリット近傍に固定するためのストッパが形成されており、このストッパをスリットから抜き差しすることにより、グリップ本体を着脱することが可能になる。
【０００３】
従来、この種の輸送用グリップは、樹脂によって構成されていた。材料として樹脂を用いれば、ストッパ部分を含めて一体成形することができるので、量産に適し、コストダウンを図ることができる。また、樹脂は、ある程度の弾力性を備えるとともに、ある程度の剛性も兼ね備えているため、スリットからの抜き差しを行うことができ、しかも輸送時には十分な堅牢性を発揮することができる。
【０００４】
【発明が解決しようとする課題】
しかしながら、近年、エコロジーの重要さが提唱されてきており、ごみ処理上の問題を有する合成樹脂製品は敬遠されつつある。特に、段ボール箱などの輸送用に利用されるグリップは、本来、段ボール箱とともに再生利用したり焼却したりできる材料で作られるのが好ましい。そこで本発明は、再生利用や焼却処理が可能な輸送用グリップを提供することを目的とする。
【０００５】
【課題を解決するための手段】
(1) 本発明の第１の態様は、所定の２ケ所にスリットが形成された板状部材を上面に有する輸送箱に対して、両端をスリットに挿通させて固定することにより取り付けることが可能であり、この輸送箱の上面に取り付けた状態で把持することにより、輸送箱全体を持ち上げて輸送の用に供することができる着脱自在な輸送用グリップにおいて、
スリットに挿通させることが可能なサイズを有し、板状部材の下面のスリットの周囲部分を支持するのに十分な剛性を有するボール紙からなる左補強板および右補強板と、
平面上に展開した場合に左端から右端に向って、左本体下層部、左内側上面包装部、左下面包装部、左外側上面包装部、本体上層部、右外側上面包装部、右下面包装部、右内側上面包装部、右本体下層部の順に配置された各部分から構成されており、スリットに挿通させることが可能な幅を有する紙製の細長い帯状部材と、
によって当該輸送用グリップを構成し、
本体上層部は把持に適した長さとし、
左内側上面包装部、左下面包装部、左外側上面包装部によって、左補強板の上下両面が包み込まれた状態となり、
右内側上面包装部、右下面包装部、右外側上面包装部によって、右補強板の上下両面が包み込まれた状態となり、
左補強板および右補強板は、帯状部材の一部分によって包み込まれた状態のままスリットに挿通させることができるようにし、
左本体下層部の少なくとも一部分および右本体下層部の少なくとも一部分は、それぞれ本体上層部の下面に接着されており、左補強板の少なくとも一部分および右補強板の少なくとも一部分は、それぞれ帯状部材の包み込み部分に接着されているようにしたものである。
【０００６】
(2) 本発明の第２の態様は、上述の第１の態様に係る輸送用グリップにおいて、
左本体下層部の上面全体および右本体下層部の上面全体が、それぞれ本体上層部の下面に接着されており、左補強板の上下両面および右補強板の上下両面が、それぞれ帯状部材の包み込み部分に接着されているようにしたものである。
【０００７】
(3) 本発明の第３の態様は、所定の２ケ所にスリットが形成された板状部材を上面に有する輸送箱に対して、両端をスリットに挿通させて固定することにより取り付けることが可能であり、この輸送箱の上面に取り付けた状態で把持することにより、輸送箱全体を持ち上げて輸送の用に供することができる着脱自在な輸送用グリップにおいて、
スリットに挿通させることが可能なサイズを有し、板状部材の下面のスリットの周囲部分を支持するのに十分な剛性を有するボール紙からなる左補強板および右補強板と、
平面上に展開した場合に左端から右端に向って、左本体上層部、左外側上面包装部、左下面包装部、左内側上面包装部、本体下層部、右内側上面包装部、右下面包装部、右外側上面包装部、右本体上層部の順に配置された各部分から構成されており、スリットに挿通させることが可能な幅を有する紙製の細長い帯状部材と、
によって当該輸送用グリップを構成し、
本体下層部は把持に適した長さとし、
左外側上面包装部、左下面包装部、左内側上面包装部によって、左補強板の上下両面が包み込まれた状態となり、
右外側上面包装部、右下面包装部、右内側上面包装部によって、右補強板の上下両面が包み込まれた状態となり、
左補強板および右補強板は、帯状部材の一部分によって包み込まれた状態のままスリットに挿通させることができるようにし、
左本体上層部の少なくとも一部分および右本体上層部の少なくとも一部分は、それぞれ本体下層部の上面に接着されており、左補強板の少なくとも一部分および右補強板の少なくとも一部分は、それぞれ帯状部材の包み込み部分に接着されているようにしたものである。
【０００８】
(4) 本発明の第４の態様は、上述の第３の態様に係る輸送用グリップにおいて、
左本体上層部の下面全体および右本体上層部の下面全体が、それぞれ本体下層部の上面に接着されており、左補強板の上下両面および右補強板の上下両面が、それぞれ帯状部材の包み込み部分に接着されているようにしたものである。
【０００９】
(5) 本発明の第５の態様は、上述の第１〜第４の態様に係る輸送用グリップにおいて、
帯状部材を構成する各部が、その長手方向の中心位置に関して対称となるように配置されるようにしたものである。
【００１０】
(6) 本発明の第６の態様は、上述の第１〜第５の態様に係る輸送用グリップにおいて、
帯状部材が、複数の紙製の紐を平面的に並べて接着したリボン状部材によって構成されるようにしたものである。
【００１１】
【発明の実施の形態】
まず、本発明の基本的な実施例を、図１の斜視図を参照して説明する。図１には、本発明に係る輸送用グリップを、段ボールからなる輸送箱に取り付ける前の状態が示されている。本発明に係る輸送用グリップは、左補強板１０Ｌ、右補強板１０Ｒ、帯状部材２０という３つの部品により構成されている。左補強板１０Ｌおよび右補強板１０Ｒは、それぞれ厚手のボール紙の一片から構成されており、その上下両面が、帯状部材２０の一部分によって包み込まれた状態になっている。一方、輸送箱３０は、この例では一般的な段ボール箱であり、その上面部分は、段ボールからなる板状部材３１によって構成されている。図示のとおり、この板状部材３１の所定の２ケ所には、スリットＳＬ，ＳＲが形成されている。
【００１２】
この輸送用グリップの左端部分は、左補強板１０Ｌとその周囲を包んでいる帯状部材２０の一部によって構成され、左端ストッパを形成している。同様に、この輸送用グリップの右端部分は、右補強板１０Ｒとその周囲を包んでいる帯状部材２０の一部によって構成され、右端ストッパを形成している。左端ストッパを左側のスリットＳＬに挿通し、右端ストッパを右側のスリットＳＲに挿通すれば、この輸送用グリップを輸送箱３０の上面に取り付けることができ、片手でこの輸送用グリップを掴むことにより、輸送箱３０を持ち上げて輸送することができる。
【００１３】
図２は、図１に示す輸送用グリップの側面図であり、この輸送用グリップが、左補強板１０Ｌ、右補強板１０Ｒ、帯状部材２０なる３つの部品によって構成されている点が明瞭に示されている。ただ、帯状部材２０は、後述するように紙製の細長い部材であり、部分的に折り曲げられているため、ここでは便宜上、複数の部分に分けて説明する。すなわち、この帯状部材２０は、図２に示すとおり、本体上層部２１と、その両側に連なる左外側上面包装部２２Ｌおよび右外側上面包装部２２Ｒと、これらに連なる左下面包装部２３Ｌおよび右下面包装部２３Ｒと、これらに連なる左内側上面包装部２４Ｌおよび右内側上面包装部２４Ｒと、これらに連なる左本体下層部２５Ｌおよび右本体下層部２５Ｒと、の各部分によって構成されている。別言すれば、帯状部材２０は、左本体下層部２５Ｌを一端とし、右本体下層部２５Ｒを他端とする、テープ状の細長い紙製部材ということになる。
【００１４】
左補強板１０Ｌは、上面の外側部分が左外側上面包装部２２Ｌによって覆われており、上面の内側部分が左内側上面包装部２４Ｌによって覆われており、下面が左下面包装部２３Ｌによって覆われている。同様に、右補強板１０Ｒは、上面の外側部分が右外側上面包装部２２Ｒによって覆われており、上面の内側部分が右内側上面包装部２４Ｒによって覆われており、下面が右下面包装部２３Ｒによって覆われている。このように、左補強板１０Ｌおよび右補強板１０Ｒは、それぞれ帯状部材２０の一部によって包み込まれた状態になっており、しかもその上下両面は、この帯状部材２０の包み込み部分に接着されている。また、左本体下層部２５Ｌの上面および右本体下層部２５Ｒの上面は、それぞれ本体上層部２１の下面に接着されている。
【００１５】
結局、この輸送用グリップは、図２の側面図に示す状態で各部が接着されており、このままの形状を保つことになる。帯状部材２０は、紙製品であるため、ある程度の可撓性を有している。しかしながら、輸送用グリップとして機能させるためには、その両端に十分な剛性を有するストッパが必要になる。左補強板１０Ｌおよび右補強板１０Ｒは、ストッパとしての剛性を与えるための構成要素である。
【００１６】
図３は、図２に示す輸送用グリップを、輸送箱３０の上面を構成する板状部材３１に取り付けた状態を示す縦断面図である。このように、本発明に係る輸送用グリップは、両端をスリットＳＬ，ＳＲに挿通させて固定することにより、輸送箱３０に取り付けることが可能である。
【００１７】
左補強板１０Ｌおよび右補強板１０Ｒは、スリットＳＬ，ＳＲに挿通させることが可能なサイズを有し、板状部材３１の下面のスリットＳＬ，ＳＲの周囲部分を支持するのに十分な剛性を有するボール紙から構成されている。しかも、帯状部材２０は、スリットＳＬ，ＳＲに挿通させることが可能な幅を有しているため、左補強板１０Ｌおよび右補強板１０Ｒは、帯状部材２０の一部分によって包み込まれた状態のまま、スリットＳＬ，ＳＲに挿通させることができ、ストッパとしての機能を果たすことになる。したがって、この輸送用グリップは、輸送箱３０に対して着脱自在になる。
【００１８】
一方、本体上層部２１は、片手もしくは両手で把持するのに適した長さを有しており、この輸送用グリップを、輸送箱３０の上面に取り付けた状態で把持することにより、輸送箱全体を持ち上げて輸送の用に供することができる。図３の縦断面図に示されているとおり、このような把持状態では、十分な剛性を有する左補強板１０Ｌおよび右補強板１０Ｒが、板状部材３１に対してほぼ平行な状態でストッパとしての役割を果たすため、輸送箱３０内に重量物が収容されていた場合であっても、従来の樹脂製の輸送用グリップと同程度の堅牢性が維持される。
【００１９】
図４は、左補強板１０Ｌおよび右補強板１０Ｒの斜視図である。図示のとおり、これらの補強板は、厚手のボール紙の一片であるが、この補強板を芯に入れて、その周囲を帯状部材２０の一部で包み込むようにしてストッパ部を構成することにより、従来の樹脂製のものと同等の強度をもった輸送用グリップを実現することができる。このように十分な強度が得られる理由は、図３の縦断面図に示されているように、グリップ本体からの把持力が、左補強板１０Ｌおよび右補強板１０Ｒの中心部分に集中して作用し、厚手のボール紙製の各補強板に対して、折り曲げ力を加えることになるものの、このような折り曲げ力に対しては、各補強板が十分に耐えられるためと考えられる。
【００２０】
図５は、この基本的な実施例に係る輸送用グリップの全構成要素を示す平面図である。図示のとおり、左補強板１０Ｌおよび右補強板１０Ｒが、比較的小さな厚手のボール紙の一片であるのに対し、帯状部材２０は、平面上に展開すると、かなり細長い紙製のテープ状の部材である。図示のとおり、この帯状部材２０には、平面上に展開した場合に左端から右端に向って、左本体下層部２５Ｌ、左内側上面包装部２４Ｌ、左下面包装部２３Ｌ、左外側上面包装部２２Ｌ、本体上層部２１、右外側上面包装部２２Ｒ、右下面包装部２３Ｒ、右内側上面包装部２４Ｒ、右本体下層部２５Ｒの各部分が順に配置されている。
【００２１】
これらの各部品は、いずれも紙製品であるため、この輸送用グリップを廃棄する際には、再生利用や焼却処分が可能であり、従来の樹脂製のグリップのような環境上の問題は発生しない。また、材料費も比較的安価であり、製造プロセスでは、図５に示す各部品を接着剤で貼り合わせる加工を行うだけで済むので、量産に適し、製品コストも比較的安価に抑えることが可能になる。
【００２２】
なお、帯状部材２０は、このグリップの主要部を占める構成要素であり、人間が手で握りしめた状態で、ある程度の荷重に耐えられる必要がある。紙製の細長いテープ状の材料でありながら、このような荷重に十分に耐えられる材料としては、複数の紙製の紐を平面的に並べて接着したリボン状部材を用いると便利である。図６は、このようなリボン状部材によって帯状部材２０を構成した例を示す平面図である。この例では、合計１０本の紙製の紐２０１〜２１０を平面的に並べて接着することにより、帯状部材２０が構成されている。このような紙製の紐２０１〜２１０は、その長手方向に作用する張力に対して十分な耐久性を有しているため、本発明における帯状部材２０として用いるには最適である。
【００２３】
また、輸送箱３０の荷重を左右均等に支える上では、帯状部材２０を構成する各部は、その長手方向の中心位置に関して対称となるように配置するのが好ましい。たとえば、図５に示す帯状部材２０では、その中央部分に本体上層部２１が配置されており、中心位置に関して左右対称となるように各部が定義されている。このように、左右対称の構成を採ることにより、機能的にもデザイン的にも優れた輸送用グリップが実現できる。
【００２４】
図７は、本発明の変形例に係る輸送用グリップの側面図であり、図８は、この変形例の全構成要素を示す平面図である。図８に示す各部品と、図５に示す各部品とを比較すると、左補強板１０Ｌと右補強板１０Ｒについては全く同じであることがわかる。また、図５に示す帯状部材２０と、図８に示す帯状部材４０とは、各部の符号は異なるものの、実質的には全く同一の部材である。
【００２５】
図２に示す基本的な実施例と、図７に示す変形例との差は、帯状部材の両端を下にもってくるか、上にもってくるかの違いだけである。すなわち、図２に示す基本的な実施例では、帯状部材２０の両端がグリップ本体部の下側に位置しているのに対し、図７に示す変形例では、帯状部材４０の両端がグリップ本体部の上側に位置している。そのため、図２に示す基本的な実施例では、帯状部材の両端がグリップ本体部の下面に隠れているのに対し、図７に示す変形例では、帯状部材の両端がグリップ本体部の上面に現れている。両端の繋ぎ目を目立たなくさせる、という観点からは、図２に示す基本的な実施例が好ましいが、繋ぎ目をデザインとして取り入れて積極的に見えるようにする、という観点では、変形例も十分に実用的である。
【００２６】
図８に示すとおり、帯状部材４０には、平面上に展開した場合に左端から右端に向って、左本体上層部４５Ｌ、左外側上面包装部４４Ｌ、左下面包装部４３Ｌ、左内側上面包装部４２Ｌ、本体下層部４１、右内側上面包装部４２Ｒ、右下面包装部４３Ｒ、右外側上面包装部４４Ｒ、右本体上層部４５Ｒの各部分が順に配置されている。そして、図７に示されているとおり、この変形例では、左外側上面包装部４４Ｌ、左下面包装部４３Ｌ、左内側上面包装部４２Ｌによって、左補強板１０Ｌの上下両面が包み込まれた状態となっており、右外側上面包装部４４Ｒ、右下面包装部４３Ｒ、右内側上面包装部４２Ｒによって、右補強板１０Ｒの上下両面が包み込まれた状態となっている。その他の特徴は、基本的な実施例と変形例との間に差はない。
【００２７】
以上、本発明を基本的な実施例および変形例について説明したが、本発明はこれらの例に限定されるものではなく、この他にも種々の態様で実施可能である。
【００２８】
たとえば、上述の図２の例では、左本体下層部２５Ｌおよび右本体下層部２５Ｒの全面を本体上層部２１の下面に接着しているが、必ずしも全面を接着する必要はなく、左本体下層部２５Ｌの少なくとも一部分および右本体下層部２５Ｒの少なくとも一部分が、それぞれ本体上層部２１の下面に接着されていればよい。同様に、図７の例では、左本体上層部４５Ｌおよび右本体上層部４５Ｒの全面を本体下層部４１の上面に接着しているが、必ずしも全面を接着する必要はなく、左本体上層部４５Ｌの少なくとも一部分および右本体上層部４５Ｒの少なくとも一部分が、それぞれ本体下層部４１の上面に接着されていればよい。また、上述の各例では、左補強板１０Ｌおよび右補強板１０Ｒの上下全面を、帯状部材２０あるいは帯状部材４０の包み込み部分に接着しているが、必ずしも全面接着を行う必要はなく、これらが脱落しないように、少なくとも一部分が帯状部材２０あるいは帯状部材４０の所定箇所に接着されているようにすればよい。もっとも、実用上は、いずれの場合も全面を接着した方が、強度を高める上で好ましい。
【００２９】
更に、これまでの例では、帯状部材２０あるいは帯状部材４０の両端は、一ケ所で接続されていたが、この両端は必ずしも接続する必要はない。たとえば、図２に示す例では、左本体下層部２５Ｌの右端と右本体下層部２５Ｒの左端は、本体上層部２１の中央位置において接続されているが、左本体下層部２５Ｌおよび右本体下層部２５Ｒの長手方向の長さを若干短くし、両端が接続されないようにしてもかまわない。あるいは逆に、左本体下層部２５Ｌおよび右本体下層部２５Ｒの長手方向の長さを若干長くし、両端付近が部分的に重なり合うようにして接続してもかまわない。図７に示す変形例についても同様である。
【００３０】
【産業上の利用可能性】
本発明に係る着脱自在な輸送用グリップは、段ボール箱などに取り付けるための運搬補助器具として広く利用することができ、しかも廃棄時には段ボール箱と一緒に処分することができる。すなわち、従来の合成樹脂製の輸送用グリップの場合、段ボール箱とは材質が異なるため、廃棄時には段ボール箱から取り外し、段ボール箱とは別個に処理をする必要があったが、本発明に係る輸送用グリップは、段ボール箱と同様に紙製品から構成されているため、段ボール箱と一緒に再生処理に送ったり、焼却処分したりすることが可能になる。しかも、ボール紙からなる左右の補強板を付加することにより堅牢な構造を実現できるため、電化製品などの比較的重量のある製品を収容した段ボール箱に利用しても、輸送用グリップとして十分な機能を果たすことができる。したがって、本発明に係る輸送用グリップは、様々な産業において、環境に配慮した運搬補助器具として利用が可能である。
【図面の簡単な説明】
【図１】本発明の基本的な実施例に係る輸送用グリップと、その取り付け対象となる輸送箱とを示す斜視図である。
【図２】図１に示す輸送用グリップの側面図である。
【図３】図１に示す輸送用グリップを輸送箱の上面に取り付けた状態を示す断面図である。
【図４】図１に示す輸送用グリップの構成要素となる補強板の斜視図である。
【図５】図１に示す輸送用グリップの全構成要素を示す平面図である。
【図６】図１に示す輸送用グリップの帯状部材の構成例を示す部分平面図である。
【図７】本発明の変形例に係る輸送用グリップの側面図である。
【図８】図７に示す変形例の全構成要素を示す平面図である。
【図１】
0003670275.tif 000002
【図２】
0003670275.tif 000003
【図３】
0003670275.tif 000004
【図４】
0003670275.tif 000005
【図５】
0003670275.tif 000006
【図６】
0003670275.tif 000007
【図７】
0003670275.tif 000008
【図８】
0003670275.tif 000009